(57)【要約】【課題】ガス遮断装置設置以降器具未使用時の流量を正確に計測し、媒体使用量及び使用状態が安全か否かを監視するガス遮断装置を提供する。【解決手段】ガス流量を流量検出手段１４で検出し流量演算手段２０で流量換算し、零点設定手段２３に設定した流量零範囲と、求めた流量とを比較し逸脱したか否かを零点判定手段２４で判定し、流量検出手段１４の出力信号より流量演算手段２０で求めた流量値が異常使用時遮断出力する異常判定手段２１と、遮断手段２２が未作動状態で零点判定手段２４より零点流量範囲逸脱と判定時遮断信号を出力し状態判定手段２５により零点補正計測を行い新流量補正値を求め記憶する流量補正値設定手段に格納する構成にしている。【選択図】　図１
2004125609.tif 000002
【特許請求の範囲】
【請求項１】
媒体内の流速を検出する流量検出手段と、媒体流路を遮断する遮断手段と、前記流量検出手段で検出した流速より流量に換算する流量演算手段と、前記流量検出手段の流量零範囲を設定する零点設定手段と、前記流量演算手段で求めた流量が前記零点設定手段で設定した流量零範囲を逸脱したか否かを判定する零点判定手段と、前記流量検出手段の出力信号より前記流量演算手段で求めた流量値が異常使用量か否かを判定し異常時前記遮断手段に遮断信号を出力する異常判定手段と、前記異常判定手段より前記遮断手段を駆動していない状態で前記零点判定手段より零点流量範囲逸脱との状態信号を出力している場合前記遮断手段に遮断信号を出力し零点補正計測を行う状態判定手段と、前記状態判定手段で零点補正計測を開始すると前記流量演算手段より所定範囲内にはいる流量補正値を求める流量補正値設定手段とを備えたガス遮断装置。
【請求項２】
媒体内の流速を検出する流量検出手段と、媒体流路を遮断する遮断手段と、前記流量検出手段で検出した流速より流量に換算する流量演算手段と、前記流量検出手段の流量零範囲を設定する零点設定手段と、前記流量演算手段で求めた流量が前記零点設定手段で設定した流量零範囲を逸脱したか否かを判定する零点判定手段と、前記流量検出手段の出力信号より前記流量演算手段で求めた流量値が異常使用量か否かを判定し異常時前記遮断手段に遮断信号を出力する異常判定手段と、前記異常判定手段より前記遮断手段を駆動していない状態で前記零点判定手段より零点流量範囲逸脱との状態信号を出力している場合前記遮断手段に遮断信号を出力し零点補正計測を行う状態判定手段と、前記状態判定手段で零点補正計測を開始すると前記流量演算手段より所定範囲内にはいる流量補正値を求める流量補正値設定手段と、前記遮断手段を開状態にする信号を出力する復帰手段と、前記状態判定手段により零点補正計測時前記復帰手段からの復帰信号を受付禁止にする復帰禁止手段とを備えたガス遮断装置。
【請求項３】
媒体内の流速を検出する流量検出手段と、媒体流路を遮断する遮断手段と、前記流量検出手段で検出した流速より流量に換算する流量演算手段と、前記流量検出手段の流量零範囲を設定する零点設定手段と、前記流量演算手段で求めた流量が前記零点設定手段で設定した流量零範囲を逸脱したか否かを判定する零点判定手段と、前記流量検出手段の出力信号より前記流量演算手段で求めた流量値が異常使用量か否かを判定し異常時前記遮断手段に遮断信号を出力する異常判定手段と、前記異常判定手段より前記遮断手段を駆動していない状態で前記零点判定手段より零点流量範囲逸脱との状態信号を出力している場合前記遮断手段に遮断信号を出力し零点補正計測を行う状態判定手段と、外部より設定器や通信等により指示電文を受信し強制的に零点補正計測指示電文を受信すると前記状態判定手段に零点補正制御を開始させる通信制御手段と、前記状態判定手段より或いは前記通信手段より零点補正計測を開始すると前記流量演算手段より所定範囲内にはいる流量補正値を求める流量補正値設定手段とを備えたガス遮断装置。
【請求項４】
媒体内の流速を検出する流量検出手段と、媒体流路を遮断する遮断手段と、前記流量検出手段で検出した流速より流量に換算する流量演算手段と、前記流量検出手段の流量零範囲を設定する零点設定手段と、前記流量演算手段で求めた流量が前記零点設定手段で設定した流量零範囲を逸脱したか否かを判定する零点判定手段と、前記流量検出手段の出力信号より前記流量演算手段で求めた流量値が異常使用量か否かを判定し異常時前記遮断手段に遮断信号を出力する異常判定手段と、前記異常判定手段より前記遮断手段を駆動していない状態で前記零点判定手段より零点流量範囲逸脱との状態信号を出力している場合前記遮断手段に遮断信号を出力し零点補正計測を行う状態判定手段と、前記状態判定手段で零点補正計測を開始すると前記流量演算手段より所定範囲内にはいる流量補正値を求める流量補正値設定手段と、前記状態判定手段による零点補正開始となると零点補正中を示す表示を行う報知手段とを備えたガス遮断装置。
【請求項５】
媒体内の流速を検出する流量検出手段と、媒体流路を遮断する遮断手段と、前記流量検出手段で検出した流速より流量に換算する流量演算手段と、前記流量演算手段で求めた流量値を積算する流量積算手段と、前記流量検出手段の流量零範囲を設定する零点設定手段と、前記流量演算手段で求めた流量が前記零点設定手段で設定した流量零範囲を逸脱したか否かを判定する零点判定手段と、前記流量検出手段の出力信号より前記流量演算手段で求めた流量値が異常使用量か否かを判定し異常時前記遮断手段に遮断信号を出力する異常判定手段と、前記異常判定手段より前記遮断手段を駆動していない状態で前記零点判定手段より零点流量範囲逸脱との状態信号を出力している場合前記遮断手段に遮断信号を出力し零点補正計測を行う状態判定手段と、前記状態判定手段で零点補正計測を開始すると前記流量演算手段より所定範囲内にはいる流量補正値を求める流量補正値設定手段と、前記流量積算手段で求めた流量積算値を表示すると共に前記流量補正値設定手段により求まった流量補正値を切替えて表示する表示手段と、外部より設定器や通信等により指示電文を受信し零点補正表示電文を受信すると前記表示手段に零点表示に切替えさせる通信手段とを備えたガス遮断装置。
【請求項６】
媒体内の流速を検出する流量検出手段と、媒体流路を遮断する遮断手段と、前記流量検出手段で検出した流速より流量に換算する流量演算手段と、前記流量演算手段で求めた流量値を積算する流量積算手段と、前記流量検出手段の流量零範囲を設定する零点設定手段と、前記流量演算手段で求めた流量が前記零点設定手段で設定した流量零範囲を逸脱したか否かを判定する零点判定手段と、前記流量検出手段の出力信号より前記流量演算手段で求めた流量値が異常使用量か否かを判定し異常時前記遮断手段に遮断信号を出力する異常判定手段と、前記異常判定手段より前記遮断手段を駆動していない状態で前記零点判定手段より零点流量範囲逸脱との状態信号を出力している場合前記遮断手段に遮断信号を出力し零点補正計測を行う状態判定手段と、前記状態判定手段で零点補正計測を開始すると前記流量演算手段より所定範囲内にはいる流量補正値を求める流量補正値設定手段と、前記遮断手段を開状態にする信号を出力する復帰手段と、前記流量積算手段で求めた流量積算値を表示すると共に前記流量補正値設定手段により求まった流量補正値を切替えて表示する表示手段と、前記復帰手段を所定時間操作により前記表示手段に零点表示に切替えさせる表示制御手段とを備えたガス遮断装置。
【発明の詳細な説明】
【０００１】
【発明の属する技術分野】
本発明は、超音波を用いて配管内を流れる各種媒体、例えば各種都市ガスあるいはＬＰガス等流量を検出しその媒体使用量を正確に計測し媒体使用量及びその使用状態が安全か否かを監視するガス遮断装置に関する。
【０００２】
【従来の技術】
従来のこの種のガス遮断装置は、例えば特許文献１に示されるように図７の構成になっていた。図７は従来のガス遮断装置のブロック図を示す。
【０００３】
図７において、１は流体管路、２は第１振動子で、超音波を送受信し流体管路１の上流側に設置される。３は第２振動子で、超音波を送受信し流体管路１の下流側に対向して取り付けられている。４は送信回路で、第１振動子２へ超音波信号を送信し、５は増幅回路で、第２振動子３で受信した信号を増幅する。６は比較回路で、増幅された信号と基準信号とを比較する。７は計時手段で、超音波の発信から受信迄の時間をタイマカウンタで計測する。８は計測回路で、送信回路４から計時手段７迄を含む。９は流量演算手段で、計時手段７による超音波伝搬時間に応じて管路の大きさ、流れの状態を考慮して流量値を求める。１０は周期可変手段で、流量演算手段９の値によって測定周期の変更を行う。１１は計測開始手段で、周期可変手段１０の値に応じて送信回路への信号送出タイミングを調節する。１２は計測終了手段で、流量演算手段９の演算終了を検出する。１３は電圧制御手段で、計測終了手段１３に同期して計測回路８の電圧を低下させ、又計測開始手段１１による計測開始と同期して計測回路８の電圧を復帰させる。
【０００４】
次に従来例の構成の動作を説明する。都市ガス、ＬＰガス等の媒体ガスの流れる流体管路１内において、計測開始手段１１から送信回路４からバースト信号が送出され、第１振動子２で発信された超音波信号は流体管路１の流れの中を伝搬し、第２振動子３で受信され、更に増幅回路５と比較回路６で信号処理され発信から受信までの時間を計時手段７で測定する。流量が大きい時は計時サンプリングを速くして誤差を小さくする必要があり、又流量が小さい時、或いは流量零の時は計測サンプリングを遅くしてもほとんど誤差にならない。よって流量演算手段９の値に応じて計測間隔を変更する。流量演算手段９の値が小さい時周期可変手段１０で計測時間の間隔を大きくし、流量演算手段９の値が大きいなるに伴って計測時間の間隔を小さくする。又計測と計測との間には計測回路８の電圧を低減する。流量演算手段９によって流量計測を終了すると計測終了手段１２に信号送出し電圧制御手段１３で電圧を下げるか、零にする。計測開始手段１１によって計測開始前に電圧制御手段１３により計測回路８の電圧を元に復帰させる。
【０００５】
【特許文献１】
特開平９−２１６６７号公報
【０００６】
【発明が解決しようとする課題】
しかしながら上記従来の構成では、ガス遮断装置を設置した以降計測回路８や第１振動子２、或いは第２振動子３の計時変化によりガス器具が未使用時の流量値即ち流量零もしくは所定流量範囲内（この範囲内を流量零と定義する）からずれた場合の方法やどのようにして求めるかが開示されていない。
【０００７】
本発明は上記課題を解決するもので、ガス遮断装置設置以降都市ガスやＬＰＧガス等の使用がない場合、即ちガス器具を未使用時の流量を正確に計測し、ガス媒体使用量及びその使用状態が安全か否かを監視するガス遮断装置を提供することを目的としたものである。
【０００８】
【課題を解決するための手段】
この課題を解決するために本発明は、流量検出手段で検出した流速を流量演算手段で流量に換算し、零点設定手段に設定した流量零範囲と、求めた流量とを比較し逸脱したか否かを零点判定手段で判定し、流量検出手段の出力信号より流量演算手段で求めた流量値が異常使用時遮断手段に遮断信号を出力する異常判定手段と、遮断手段が作動していない状態で零点判定手段より零点流量範囲逸脱と判定している場合遮断手段に遮断信号を出力し状態判定手段により零点補正計測を行なわせ、所定範囲内にはいる流量補正値を求め、記憶した流量補正値で換算した流量を補正する様に流量補正値を流量補正値設定手段に格納する構成にしている。
【０００９】
このことにより、ガス遮断装置設置以降ガス器具未使用時のガス流量、即ち流量零状態を正確に計測でき、間違ってガス器具を使用したと判断し積算し続けるのを防止でき、かつガスの使用状態を監視するのに正確な使用量を計測し監視できる。
【００１０】
【発明の実施の形態】
本発明は上記目的を達成するため、媒体内の流速を検出する流量検出手段と、媒体流路を遮断する遮断手段と、前記流量検出手段で検出した流速より流量に換算する流量演算手段と、前記流量検出手段の流量零範囲を設定する零点設定手段と、前記流量演算手段で求めた流量が前記零点設定手段で設定した流量零範囲を逸脱したか否かを判定する零点判定手段と、前記流量検出手段の出力信号より前記流量演算手段で求めた流量値が異常使用量か否かを判定し異常時前記遮断手段に遮断信号を出力する異常判定手段と、前記異常判定手段より前記遮断手段を駆動していない状態で前記零点判定手段より零点流量範囲逸脱との状態信号を出力している場合前記遮断手段に遮断信号を出力し零点補正計測を行う状態判定手段と、前記状態判定手段で零点補正計測を開始すると前記流量演算手段より所定範囲内にはいる流量補正値を求める流量補正値設定手段とからなる。
【００１１】
そして器具使用中及び停止時のガス流量を流量検出手段で流速を検出し流量演算手段で流量換算しその流量値が異常な使用状態値かどうかを異常判定手段で監視しつつ、一方器具停止時の流量値が所定流量範囲内かどうかを零点判定手段で監視しており、異常判定手段でガス使用状態が異常と判定時遮断手段を駆動しガス供給を停止するが、零点判定手段で所定範囲以外と判定されると状態判定手段では零点補正可能かどうかを判定し、異常判定手段で異常と判定し遮断手段を駆動している場合零点補正不可と判定し遅延し、ガス器具使用の異常状態が改善され通常状態に戻った時零点補正可能と判定し、零点補正値を計測開始し、器具停止時の流量値を流量検出手段で求め流量演算手段で換算し流量補正値設定手段に新補正値として記憶し、以後流量計測時流量演算手段で流量値を求め流量補正値設定手段に格納した新補正値で補正演算し、その結果値で異常判定手段や零点判定手段で評価判定するので、ガス圧低下状態やガス器具漏洩遮断した異常な状態で流量零時の補正値を求めないので、ガス流量計測精度が上がり、ガス器具の使用状態を正確な流量計測で監視でき信頼性や安全性が向上する。
【００１２】
更に本発明は上記目的を達成するため、媒体内の流速を検出する流量検出手段と、媒体流路を遮断する遮断手段と、前記流量検出手段で検出した流速より流量に換算する流量演算手段と、前記流量検出手段の流量零範囲を設定する零点設定手段と、前記流量演算手段で求めた流量が前記零点設定手段で設定した流量零範囲を逸脱したか否かを判定する零点判定手段と、前記流量検出手段の出力信号より前記流量演算手段で求めた流量値が異常使用量か否かを判定し異常時前記遮断手段に遮断信号を出力する異常判定手段と、前記異常判定手段より前記遮断手段を駆動していない状態で前記零点判定手段より零点流量範囲逸脱との状態信号を出力している場合前記遮断手段に遮断信号を出力し零点補正計測を行う状態判定手段と、前記状態判定手段で零点補正計測を開始すると前記流量演算手段より所定範囲内にはいる流量補正値を求める流量補正値設定手段と、前記遮断手段を開状態にする信号を出力する復帰手段と、前記状態判定手段により零点補正計測時前記復帰手段からの復帰信号を受付禁止にする復帰禁止手段とからなる。
【００１３】
そして器具使用中及び停止時のガス流量を流量検出手段で流速を検出し流量演算手段で流量換算しその流量値が異常な使用状態値かどうかを異常判定手段で監視しつつ、一方器具停止時の流量値が所定流量範囲内かどうかを零点判定手段で監視しており、異常判定手段でガス使用状態が異常と判定時遮断手段を駆動しガス供給を停止するが、零点判定手段で所定範囲以外と判定されると状態判定手段では零点補正可能かどうかを判定し、異常判定手段で異常と判定し遮断手段を駆動している場合零点補正不可と判定し遅延し、ガス器具使用の異常状態が改善され通常状態に戻った時零点補正可能と判定し、零点補正値を計測開始し、器具停止時の流量値を流量検出手段で求め流量演算手段で換算し流量補正値設定手段に新補正値として記憶し、以後流量計測時流量演算手段で流量値を求め流量補正値設定手段に格納した新補正値で補正演算し流量値を求めるが、状態判定手段により新流量補正値を求める零点計測中は遮断手段が作動し流路は閉止状態で、復帰禁止手段に零点計測中で復帰信号の受付禁止状態にしており、誤って復帰手段を操作されガスが流れ流量補正値を正しく計測できないということがないようにされており、ガス流量計測精度が上がり結果ガス器具の使用状態を正確な流量計測で監視でき信頼性や安全性が向上する。
【００１４】
更に本発明は上記目的を達成するため、媒体内の流速を検出する流量検出手段と、媒体流路を遮断する遮断手段と、前記流量検出手段で検出した流速より流量に換算する流量演算手段と、前記流量検出手段の流量零範囲を設定する零点設定手段と、前記流量演算手段で求めた流量が前記零点設定手段で設定した流量零範囲を逸脱したか否かを判定する零点判定手段と、前記流量検出手段の出力信号より前記流量演算手段で求めた流量値が異常使用量か否かを判定し異常時前記遮断手段に遮断信号を出力する異常判定手段と、前記異常判定手段より前記遮断手段を駆動していない状態で前記零点判定手段より零点流量範囲逸脱との状態信号を出力している場合前記遮断手段に遮断信号を出力し零点補正計測を行う状態判定手段と、外部より設定器や通信等により指示電文を受信し強制的に零点補正計測指示電文を受信すると前記状態判定手段に零点補正制御を開始させる通信制御手段と、前記状態判定手段より或いは前記通信手段より零点補正計測を開始すると前記流量演算手段より所定範囲内にはいる流量補正値を求める流量補正値設定手段とからなる。
【００１５】
そして器具使用中及び停止時のガス流量を流量検出手段で流速を検出し流量演算手段で流量換算しその流量値が異常な使用状態値かどうかを異常判定手段で監視しつつ、一方器具停止時の流量値が所定流量範囲内かどうかを零点判定手段で監視しており、異常判定手段でガス使用状態が異常と判定時遮断手段を駆動しガス供給を停止するが、零点判定手段で所定範囲以外と判定されると状態判定手段では零点補正可能かどうかを判定し、異常判定手段で異常と判定し遮断手段を駆動している場合零点補正不可と判定し遅延し、ガス器具使用の異常状態が改善され通常状態に戻った時零点補正可能と判定し、零点補正値を計測開始し、器具停止時の流量値を流量検出手段で求め流量演算手段で換算し流量補正値設定手段に新補正値として記憶し、以後流量計測時流量演算手段で流量値を求め流量補正値設定手段に格納した新補正値で補正演算し流量値を求めるが、一方外部より設定器やセンタ等より通信回線を介し零点補正計測開始指示を行う電文を通信制御手段が受信すると、状態判定手段により新流量補正値を求める零点計測制御開始指示を行うので、任意の時間帯にガス事業者が行うことができ、随時ガス流量計測精度を向上させることができ、結果ガス器具の使用状態を正確な流量計測で監視でき信頼性や安全性が向上する。
【００１６】
更に本発明は上記目的を達成するため、媒体内の流速を検出する流量検出手段と、媒体流路を遮断する遮断手段と、前記流量検出手段で検出した流速より流量に換算する流量演算手段と、前記流量検出手段の流量零範囲を設定する零点設定手段と、前記流量演算手段で求めた流量が前記零点設定手段で設定した流量零範囲を逸脱したか否かを判定する零点判定手段と、前記流量検出手段の出力信号より前記流量演算手段で求めた流量値が異常使用量か否かを判定し異常時前記遮断手段に遮断信号を出力する異常判定手段と、前記異常判定手段より前記遮断手段を駆動していない状態で前記零点判定手段より零点流量範囲逸脱との状態信号を出力している場合前記遮断手段に遮断信号を出力し零点補正計測を行う状態判定手段と、前記状態判定手段で零点補正計測を開始すると前記流量演算手段より所定範囲内にはいる流量補正値を求める流量補正値設定手段と、前記状態判定手段による零点補正開始となると零点補正中を示す表示を行う報知手段とからなる。
【００１７】
そして器具使用中及び停止時のガス流量を流量検出手段で流速を検出し流量演算手段で流量換算しその流量値が異常な使用状態値かどうかを異常判定手段で監視しつつ、一方器具停止時の流量値が所定流量範囲内かどうかを零点判定手段で監視しており、異常判定手段でガス使用状態が異常と判定時遮断手段を駆動しガス供給を停止すると共に異常表示し警告するが、又零点判定手段で所定範囲以外と判定されると状態判定手段では零点補正可能かどうかを判定し、異常判定手段で異常と判定し遮断手段を駆動している場合零点補正不可と判定し遅延し、ガス器具使用の異常状態が改善され通常状態に戻った時零点補正可能と判定し、零点補正値を計測開始し当時に報知手段で零点補正計測中表示を行い、器具停止時の流量値を流量検出手段で求め流量演算手段で換算し流量補正値設定手段に新補正値として記憶し、以後流量計測時流量演算手段で流量値を求め流量補正値設定手段に格納した新補正値で補正演算するが、異常状態とは異なる表示で零点補正中であることをガス需要家や点検にきたガス事業者に通知でき、ガス使用可能状態、ガス器具の異常使用状態を検知し遮断した状態とは別の流量計測の校正中を示す表示が報知手段でなされるので、一目でガス遮断装置の状況がわかり使い勝手が向上する効果がある。
【００１８】
更に本発明は上記目的を達成するため、媒体内の流速を検出する流量検出手段と、媒体流路を遮断する遮断手段と、前記流量検出手段で検出した流速より流量に換算する流量演算手段と、前記流量演算手段で求めた流量値を積算する流量積算手段と、前記流量検出手段の流量零範囲を設定する零点設定手段と、前記流量演算手段で求めた流量が前記零点設定手段で設定した流量零範囲を逸脱したか否かを判定する零点判定手段と、前記流量検出手段の出力信号より前記流量演算手段で求めた流量値が異常使用量か否かを判定し異常時前記遮断手段に遮断信号を出力する異常判定手段と、前記異常判定手段より前記遮断手段を駆動していない状態で前記零点判定手段より零点流量範囲逸脱との状態信号を出力している場合前記遮断手段に遮断信号を出力し零点補正計測を行う状態判定手段と、前記状態判定手段で零点補正計測を開始すると前記流量演算手段より所定範囲内にはいる流量補正値を求める流量補正値設定手段と、前記流量積算手段で求めた流量積算値を表示すると共に前記流量補正値設定手段により求まった流量補正値を切替えて表示する表示手段と、外部より設定器や通信等により指示電文を受信し零点補正表示電文を受信すると前記表示手段に零点表示に切替えさせる通信手段とからなる。
【００１９】
そして器具使用中及び停止時のガス流量を流量検出手段で流速を検出し流量演算手段で流量換算しその流量値が異常な使用状態値かどうかを異常判定手段で監視しつつ、一方器具停止時の流量値が所定流量範囲内かどうかを零点判定手段で監視しており、異常判定手段でガス使用状態が異常と判定時遮断手段を駆動しガス供給を停止すると共に表示手段で異常表示し警告するが、又零点判定手段で所定範囲以外と判定されると状態判定手段では零点補正可能かどうかを判定し、異常判定手段で異常と判定し遮断手段を駆動している場合零点補正不可と判定し遅延し、ガス器具使用の異常状態が改善され通常状態に戻った時零点補正可能と判定し、零点補正値を計測開始し、器具停止時の流量値を流量検出手段で求め流量演算手段で換算し流量補正値設定手段に新補正値として記憶し、以後流量計測時流量演算手段で流量値を求め流量補正値設定手段に格納した新補正値で補正演算するが、以後流量計測時流量演算手段で流量値を求め流量補正値設定手段に格納した新補正値で補正演算し、その結果値で異常判定手段や零点判定手段で器具の安全使用状態かどうかを評価判定すると共に、求めた流量値で流量積算手段でガス使用量を積算し積算値を表示手段で表示すると共に、通信で零点補正した流量補正値を表示することが可能で、表示切替要求の通信電文を通信手段で受信すると流量積算手段で求めたガス使用量を表示する積算表示部に零点補正量である流量補正値を表示することが可能で、ガス事業者はガス遮断装置の状態を定量的に監視することができ、又ガス流量計測精度の維持管理が容易でメンテナンスの容易性が高まり使い勝手や信頼性や安全性が向上する。
【００２０】
更に本発明は上記目的を達成するため、媒体内の流速を検出する流量検出手段と、媒体流路を遮断する遮断手段と、前記流量検出手段で検出した流速より流量に換算する流量演算手段と、前記流量演算手段で求めた流量値を積算する流量積算手段と、前記流量検出手段の流量零範囲を設定する零点設定手段と、前記流量演算手段で求めた流量が前記零点設定手段で設定した流量零範囲を逸脱したか否かを判定する零点判定手段と、前記流量検出手段の出力信号より前記流量演算手段で求めた流量値が異常使用量か否かを判定し異常時前記遮断手段に遮断信号を出力する異常判定手段と、前記異常判定手段より前記遮断手段を駆動していない状態で前記零点判定手段より零点流量範囲逸脱との状態信号を出力している場合前記遮断手段に遮断信号を出力し零点補正計測を行う状態判定手段と、前記状態判定手段で零点補正計測を開始すると前記流量演算手段より所定範囲内にはいる流量補正値を求める流量補正値設定手段と、前記遮断手段を開状態にする信号を出力する復帰手段と、前記流量積算手段で求めた流量積算値を表示すると共に前記流量補正値設定手段により求まった流量補正値を切替えて表示する表示手段と、前記復帰手段を所定時間操作により前記表示手段に零点表示に切替えさせる表示制御手段とからなる。
【００２１】
そして器具使用中及び停止時のガス流量を流量検出手段で流速を検出し流量演算手段で流量換算しその流量値が異常な使用状態値かどうかを異常判定手段で監視しつつ、一方器具停止時の流量値が所定流量範囲内かどうかを零点判定手段で監視しており、異常判定手段でガス使用状態が異常と判定時遮断手段を駆動しガス供給を停止すると共に表示手段で異常表示し警告するが、又零点判定手段で所定範囲以外と判定されると状態判定手段では零点補正可能かどうかを判定し、異常判定手段で異常と判定し遮断手段を駆動している場合零点補正不可と判定し遅延し、ガス器具使用の異常状態が改善され通常状態に戻った時零点補正可能と判定し、零点補正値を計測開始し、器具停止時の流量値を流量検出手段で求め流量演算手段で換算し流量補正値設定手段に新補正値として記憶し、以後流量計測時流量演算手段で流量値を求め流量補正値設定手段に格納した新補正値で補正演算するが、以後流量計測時流量演算手段で流量値を求め流量補正値設定手段に格納した新補正値で補正演算し、その結果値で異常判定手段や零点判定手段で器具の安全使用状態かどうかを評価判定すると共に、求めた流量値で流量積算手段でガス使用量を積算し積算値を表示手段で表示すると共に、復帰手段でで零点補正した流量補正値を表示することが可能で、復帰手段を所定時間操作すると表示切替手段により流量積算手段で求めたガス使用量を表示する積算表示部に零点補正量である流量補正値を表示することが可能で、ガス事業者はガス遮断装置の状態を定量的に監視することができ、又ガス流量計測精度の維持管理が容易でメンテナンスの容易性が高まり使い勝手や信頼性や安全性が向上する。
【００２２】
【実施例】
以下、本発明の第１、第２、第３、第４、第５、及び第６の実施例を図１、図２、図３、図４、図５、図６を参照して説明する。図１、図２、図３、図４、図５、図６において、図７と同一機能を有する構成要素に関しては同一番号を付した。
【００２３】
（実施例１）
図１は本発明の第１の実施例のガス遮断装置で、１４は流量検出手段で、都市ガス或いはＬＰＧ等のガス媒体の流路１に対向設置された上流側振動子２、下流側振動子３間で超音波信号を一方から他方に発信しその伝搬時間より使用ガスの流速を検出する。流量検出手段１４の一例として次の様な方法がある。即ち流速検出手段１４は、切替手段１５と、送信手段１６と、受信手段１７と、繰返手段１８と、伝搬時間計測手段１９とからなる。送信手段１６と受信手段１７とは切替手段１５に接続され、切替手段１５はまず送信手段１６を上流側振動子２に、受信手段１７を下流側振動子３に接続し、次は送信手段１６を下流側振動子３に、受信手段１７を上流側振動子２に接続するというように交互に送信手段１６と受信手段１７の接続先を切り替える。繰返手段１８は切替手段１５により上流側振動子２に受信手段１７を、一方下流側振動子３に送信手段１６を接続された時、送信手段１６から発信された超音波信号が上流側振動子２から流路１を経て更に下流側振動子３から受信手段１７で受信されるが、この超音波信号の送信から受信迄を繰り返し行い、更に伝搬時間計測手段１９でその間の信号伝搬時間を計測する動作を繰り返し行う。伝搬時間計測手段１９は超音波信号の送信から受信までの時間を計測し累積する。次に切替手段１５により下流側振動子３に受信手段１７を、上流側振動子２に送信手段１６が接続され、前述の動作を繰り返し行う。
【００２４】
伝搬時間計測手段１９は最初受信し求めた伝搬時間と、次に切替手段１５により切り替えた後計測した信号伝搬時間とから伝搬時間差を求める。
【００２５】
２０は流量演算手段で、求めた伝搬時間、つまり流速値より使用している媒体量、即ちガス流量を流量を求める。２１は異常判定手段で、流量演算手段２０で求めたガス流量から異常なガス器具使用状態かどうかを判定する。例えばストーブ等の使用器具へガスを供給するホースが何らかの原因で外れた時、発生する異常な大流量を監視するための合計流量遮断値や、器具の通常使用する最大使用時間よりはるかに長く使用された場合に対応した使用時間の制限時間を規定した使用時間遮断テーブルが異常判定手段２２に格納され、それに該当する異常がないか監視する。２２は遮断手段で、異常判定手段２１から異常と判定された時遮断信号が出力されガス流路１を遮断する。
【００２６】
２３は零点設定手段で、器具停止時の流量零を指定する流量範囲（例えば±１．５Ｌ／ｈ等）を設定記憶する。２４は零点判定手段で、零点設定手段２３で設定した流量零状態に入ったか否かを監視する。２５は状態判定手段で、零点判定手段２４より器具停止状態で流量零指定流量範囲外にずれたか否かを通知する信号と異常判定手段２２１から異常状態か否かを示す信号とを判定し、流量零を再度計測するかどうかを判定する。遮断手段２２が作動せず通常のガス使用可能状態で零点ズレを検出時、状態判定手段２５は遮断手段２２を閉じ、新流量補正値を計測しにいく。２６は流量補正手段で、遮断手段２２で流路１を閉じ流量検出手段１４で流速を検出し流量演算手段２０で求めた流量値を流量零時の流量補正値として記憶する。２７は報知手段で、異常判定手段２２でガスの使用状態が異常と判定し、遮断手段２３を駆動した場合遮断状態や遮断内容を液晶表示素子等に表示すると共にガスの安全監視を行っているセンタに電話回線などで通報する。
【００２７】
次に上記構成の動作を説明する。ガス遮断装置設置時、ガス器具の使用がない時流量検出手段１４で検出した流速値より流量演算手段２０で換算した流量値は零或いは所定流量範囲内（例えば±１．５Ｌ／ｈ未満）である。流量零となるように予め流量補正値を計測し流量零或いは所定流量範囲内となるように流量補正値設定手段２６に記憶格納させ、流量演算手段２０で換算した流量値を流量補正値で補正している。ここでガスの未使用時とは例えば流量演算手段２０でガス器具使用時その使用流量を登録するが、全く未登録の時器具の使用が無いと判定する。しかし長期的に使用するに従って種々の環境条件、温度や湿度等の影響により器具未使用時の流量値が流量零あるいは所定流量範囲内とならずあたかも何らかのガス器具を使用しているかの流量値を示し、零点設定手段２３に設定された流量零状態或いは所定流量範囲（例えば±１．５Ｌ／ｈ未満）より逸脱する。即ち予め求めていた流量補正値よりずれる場合がある。
【００２８】
当初設定した流量補正値で流量演算手段２０で換算した流量値は、器具使用時異常判定手段２１で異常な使用をされていないか流量値かどうか監視している。
【００２９】
ホースはずれのような大流量の生ガスが放出されているような流量検出時、遮断手段２２を駆動し、ガス供給を停止する。報知手段２７においてその遮断した異常内容をガス需要家や、ガス事業者に報知する。
【００３０】
一方、器具停止状態で流路１に設置した流量検出手段１４で流速検知し流量演算手段２０で流量値に換算し零点判定手段２４で所定流量範囲内の流量値として検出されていたのに、零点設定手段２３で設定された所定範囲より逸脱する流量値が検出された時、流量零状態よりずれたと判定し、状態判定手段２５では零点補正を行ってよいか判定する。即ち状態判定手段２５は、零点判定手段２３で零点ズレを検出したのを受け、異常判定手段２１でガス器具使用の異常などがない通常ガス使用状態でのみ零点補正処理を行う。異常判定手段２１より状態判定手段２５へ異常状態信号が入っている場合、例えばホースはずれ等の異常と判定し遮断手段２２駆動している場合、流路１の末端は開放状態である。又大気開放状態になれば、空気が逆流し配管内に都市ガスやＬＰガスと混合状態になる可能性がある。異常判定手段２１で器具の異常使用判定により遮断した場合、流路１はこうした異常な状況であり、高精度の流量計測を行うための零点補正計測を異常判定手段２１で異常判定後行うと異常な流速を検出し流量補正値として設定され、高精度計測できなくなる可能性がある。そこで異常判定手段２１より異常判定した信号が状態判定手段２５に入力された場合、零点判定手段２４より零点ズレ状態と判定した信号が入力されていても、新流量補正値を計測する処理を遅延する。
【００３１】
即ち、異常判定手段２１が作動し、異常遮断状態や異常遮断状態からの復帰状態では零点補正計測処理を行わない。異常状態が解除され、通常のガス使用可能状態になってから状態判定手段２５より零点補正計測開始信号が出力される。
【００３２】
状態判定手段２５より計測可能信号が遮断手段２２に出力されると、遮断手段２２は流路１を閉止し、ガス流量が流れない状態にして新流量補正値の計測、即ち零点補正計測を行う。流量値補正設定手段２６は遮断手段２２が駆動され流路１が遮断された状態で、流量検出手段１９で流量計測し流量演算手段２０で流量換算し、流量零状態より逸脱した流量信号を入力すると新しい流量補正値として記憶格納される。零点計測状態では、遮断手段２２で流路１を閉じるので流量補正値は器具が使用されない、完全に流量がない状態で流量補正量が計測される。
【００３３】
そしてこの記憶した流量補正値を用いて流量演算手段２０で流量換算時に補正する。以降遮断手段２６を駆動し流路１を開け通常通りガス器具が使用できる状態で、流速検出手段１４で流速を検出し流量演算手段２０で換算した流量値を流量補正値設定手段２６に記憶した新流量補正値で補正（補正値の符号は±があり、加算補正又減算補正がある）する。結果、器具停止時の流量値は流量零或いは所定流量範囲内（流量零範囲と定義する）に入り、器具使用時も正確に流量計測ができる。流量補正値は流量零時の零点補正値（零点オフセット値）として更新され、常に流量零となるように調整される。ガス器具未使用時、ずれて検出された微少流量をあたかも器具が使用されていると間違ってガス使用量積算されたり、又ガスが漏れているとして間違って警告表示されることがなく極めて流量計測精度が向上し安全性、使い勝手が向上する。
【００３４】
このようにしてガス遮断装置設置以降、自動的に流量零状態に調節するように最適な流量補正値を、異常判定手段２１が作動したような状態ではなく通常のガスを使用する状態において正確に計測し記憶設定できるので、ガス器具使用状態の監視において間違って異常な大流量と誤判定し合計流量遮断としたり、又使用時間遮断の制限時間を決定する際のガス流量の計測を間違って行い異なる制限時間を設定されることなく正確に異常判定手段２１でガスの使用状態を監視できる。
【００３５】
（実施例２）
図２は本発明の第２の実施例のガス遮断装置である。図２において、図１、図３、図４、図５、図６及び図７と同一機能を有する構成要素には同一番号を付し説明は省略する。
【００３６】
図２で、２８は復帰手段で、異常手段２１により遮断手段２２が作動し、流路１が閉じられていた場合、復帰させるために操作すると遮断手段２２へ開信号が出力される。２９は復帰禁止手段で、通常復帰手段２８より復帰信号が出力されると、遮断手段２２へ出力するが、状態判定手段２５により零点補正計測開始信号が出力され復帰禁止手段２９に入力されると、零点補正計測中は復帰手段２７からの復帰信号を受付禁止にし、遮断手段２２へ出力しないようにする。即ち器具停止時の流量値を求めるため遮断手段２２を駆動し流路１を閉じ、流速検出手段１４により流速を検出し流量演算手段２０で換算した流量値を新流量補正値として記憶設定する処理を実行中は流量計測精度に影響を与えないように、零点補正計測が終了する迄復帰禁止状態に保持している。
【００３７】
次に上記構成の動作を説明する。ガス遮断装置設置時、ガス器具の使用がない時流量検出手段１４で検出した流速値より流量演算手段２０で換算した流量値は零或いは所定流量範囲内（例えば±１．５Ｌ／ｈ未満）である。流量零となるように予め流量補正値を計測し流量零或いは所定流量範囲内となるように流量補正値設定手段２６に記憶格納させ、流量演算手段２０で換算した流量値を流量補正値で補正している。ここでガスの未使用時とは例えば流量演算手段２０でガス器具使用時その使用流量を登録するが、全く未登録の時器具の使用が無いと判定する。
【００３８】
しかし長期的に使用するに従って種々の環境条件、温度や湿度等の影響により器具未使用時の流量値が流量零あるいは所定流量範囲内とならずあたかも何らかのガス器具を使用しているかの流量値を示し、零点設定手段２３に設定された流量零状態或いは所定流量範囲（例えば±１．５Ｌ／ｈ未満）より逸脱する。即ち予め求めていた流量補正値よりずれる場合がある。
【００３９】
当初設定した流量補正値で流量演算手段２０で換算した流量値は、器具使用時異常判定手段２１で異常な使用をされていないか流量値かどうか監視している。
【００４０】
ホースはずれのような大流量の生ガスが放出されているような流量検出時、遮断手段２２を駆動し、ガス供給を停止する。報知手段２７においてその遮断した異常内容をガス需要家や、ガス事業者に報知する。ホースはずれ等の異常内容を改善し、復帰手段２８を操作すると、通常復帰禁止手段２９を介して遮断手段２２を開状態にする。
【００４１】
一方、器具停止状態で流路１に設置した流量検出手段１４で流速検知し流量演算手段２０で流量値に換算し零点判定手段２４で所定流量範囲内の流量値として検出されていたのに、零点設定手段２３で設定された所定範囲より逸脱する流量値が検出された時、流量零状態よりずれたと判定し、状態判定手段２５では零点補正を行ってよいか判定する。即ち状態判定手段２５は、零点判定手段２３で零点ズレを検出したのを受け、異常判定手段２１でガス器具使用の異常などがない通常ガス使用状態でのみ零点補正処理を行う。異常判定手段２１より状態判定手段２５へ異常状態信号が入っている場合、例えばホースはずれ等の異常と判定し遮断手段２２駆動している場合、流路１の末端は開放状態で、空気が逆流し流路１内の都市ガスやＬＰガスと混合状態になる可能性がある。異常判定手段２１で器具の異常使用判定により遮断した場合、流路１はこうした異常な状況であり、高精度の流量計測を行うための零点補正計測を異常判定手段２１で異常判定後行うと異常な流速を検出し流量補正値として設定され、高精度計測できなくなる可能性がある。そこで異常判定手段２１より異常判定した信号が状態判定手段２５に入力された場合、零点判定手段２４より零点ズレ状態と判定した信号が入力されていても、新流量補正値を計測する処理を遅延する。即ち、異常判定手段２１が作動し、異常遮断状態や異常遮断状態からの復帰状態では零点補正計測処理を行わない。異常状態が解除され、通常のガス使用可能状態になってから状態判定手段２５より零点補正計測開始信号が出力され、同時に復帰禁止手段２９へ零点補正制御開始信号が出力される。
【００４２】
状態判定手段２５より計測可能信号が遮断手段２２に出力されると、遮断手段２２は流路１を閉止し、ガス流量が流れない状態にして新流量補正値の計測、即ち零点補正計測を行う。流量値補正設定手段２６は遮断手段２２が駆動され流路１が遮断された状態で、流量検出手段１９で流量計測し流量演算手段２０で流量換算し、流量零状態より逸脱した流量信号を入力すると新しい流量補正値として記憶格納される。零点計測状態では、遮断手段２２で流路１を閉じるので流量補正値は器具が使用されない、完全に流量がない状態で流量補正量が計測される。
【００４３】
この間、復帰手段２８からの復帰信号は、復帰禁止手段２９により受付禁止状態であり、遮断手段２２は零点補正中は開かないように制御される。即ち流量補正値計測時、誤って復帰手段２８を操作される可能性があり、誤って開けられると圧力変動が生じ異常な流量値となるが、その流量値を新零点補正値として計測すると流量計測精度が悪くなる為、こうした誤計測とならないように復帰禁止手段２９で復帰信号を禁止している。
【００４４】
そしてこの記憶した流量補正値を用いて流量演算手段２０で流量換算時に補正する。以降遮断手段２６を駆動し流路１を開け通常通りガス器具が使用できる状態で、流速検出手段１４で流速を検出し流量演算手段２０で換算した流量値を流量補正値設定手段２６に記憶した新流量補正値で補正（補正値の符号は±があり、加算補正又減算補正がある）する。結果、器具停止時の流量値は流量零或いは所定流量範囲内（流量零範囲と定義する）に入り、器具使用時も正確に流量計測ができる。流量補正値は流量零時の零点補正値（零点オフセット値）として更新され、常に流量零となるように調整される。ガス器具未使用時、ずれて検出された微少流量をあたかも器具が使用されていると間違ってガス使用量積算されたり、又ガスが漏れているとして間違って警告表示されることがなく極めて流量計測精度が向上し安全性、使い勝手が向上する。
【００４５】
このようにしてガス遮断装置設置以降、自動的に流量零状態に調節するように最適な流量補正値を、計測している最中に不意に誤って復帰手段２８を操作され、ガス圧の変動を生じ、異常な流量値を零点補正として計測しないようにしており、結果正確に流量計測し記憶設定できるので、ガス器具使用状態の監視において間違って異常な大流量と誤判定し合計流量遮断としたり、又使用時間遮断の制限時間を決定する際のガス流量の計測を間違って行い異なる制限時間を設定されることなく正確に異常判定手段２１でガスの使用状態を監視できる。
【００４６】
（実施例３）
図３は本発明の第３の実施例のガス遮断装置である。図３において、図１、図２、図４、図５、図６及び図７と同一機能を有する構成要素には同一番号を付し説明は省略する。
【００４７】
図３で、３０は通信制御手段で、外部より設定器やガス事業者のセンタより通信電文により、ガス使用量や瞬時流量、あるいは異常手段２１により遮断手段２２が作動した内容を確認できると共に、零点補正要求を任意のタイミングで送り、通信制御手段３０で受信すると、状態判定手段２５へ零点補正制御信号を出力する。状態判定手段２５は、定期的に零点判定手段２４で流量零範囲ズレが生じているか確認しており、定期的なタイミングで零点補正制御信号を出力するが、通信制御手段からの要求電文を受信すると任意のタイミングで零点補正制御を開始する。ガス遮断装置組み立て時等、定期的に零点補正計測を確認し実施していては正確な流量計測及び異常判定手段２１での正確な検査ができるまでに時間を要するが、通信制御要求電文により任意のタイミングで流量補正値計測を行うので、素早い検査を行えるようにしている。
【００４８】
次に上記構成の動作を説明する。ガス遮断装置設置時、ガス器具の使用がない時流量検出手段１４で検出した流速値より流量演算手段２０で換算した流量値は零或いは所定流量範囲内（例えば±１．５Ｌ／ｈ未満）である。流量零となるように予め流量補正値を計測し流量零或いは所定流量範囲内となるように流量補正値設定手段２６に記憶格納させ、流量演算手段２０で換算した流量値を流量補正値で補正している。ここでガスの未使用時とは例えば流量演算手段２０でガス器具使用時その使用流量を登録するが、全く未登録の時器具の使用が無いと判定する。
【００４９】
しかし長期的に使用するに従って種々の環境条件、温度や湿度等の影響により器具未使用時の流量値が流量零あるいは所定流量範囲内とならずあたかも何らかのガス器具を使用しているかの流量値を示し、零点設定手段２３に設定された流量零状態或いは所定流量範囲（例えば±１．５Ｌ／ｈ未満）より逸脱する。即ち予め求めていた流量補正値よりずれる場合がある。
【００５０】
当初設定した流量補正値で流量演算手段２０で換算した流量値は、器具使用時異常判定手段２１で異常な使用をされていないか流量値かどうか監視している。
【００５１】
ホースはずれのような大流量の生ガスが放出されているような流量検出時、遮断手段２２を駆動し、ガス供給を停止する。報知手段２７においてその遮断した異常内容をガス需要家や、ガス事業者に報知する。
【００５２】
一方、器具停止状態で流路１に設置した流量検出手段１４で流速検知し流量演算手段２０で流量値に換算し零点判定手段２４で所定流量範囲内の流量値として検出されていたのに、零点設定手段２３で設定された所定範囲より逸脱する流量値が検出された時、流量零状態よりずれたと判定し、状態判定手段２５では零点補正を行ってよいか判定する。即ち状態判定手段２５は、零点判定手段２３で零点ズレを検出したのを受け、異常判定手段２１でガス器具使用の異常などがない通常ガス使用状態でのみ零点補正処理を行う。異常判定手段２１より状態判定手段２５へ異常状態信号が入っている場合、例えばホースはずれ等の異常と判定し遮断手段２２駆動している場合、流路１の末端は開放状態で、空気が逆流し流路１内の都市ガスやＬＰガスと混合状態になる可能性がある。異常判定手段２１で器具の異常使用判定により遮断した場合、流路１はこうした異常な状況であり、高精度の流量計測を行うための零点補正計測を異常判定手段２１で異常判定後行うと異常な流速を検出し流量補正値として設定され、高精度計測できなくなる可能性がある。そこで異常判定手段２１より異常判定した信号が状態判定手段２５に入力された場合、零点判定手段２４より零点ズレ状態と判定した信号が入力されていても、新流量補正値を計測する処理を遅延する。即ち、異常判定手段２１が作動し、異常遮断状態や異常遮断状態からの復帰状態では零点補正計測処理を行わない。異常状態が解除され、通常のガス使用可能状態になってから状態判定手段２５より零点補正計測開始信号が出力され、同時に復帰禁止手段２９へ零点補正制御開始信号が出力される。
【００５３】
状態判定手段２５より計測可能信号が遮断手段２２に出力されると、遮断手段２２は流路１を閉止し、ガス流量が流れない状態にして新流量補正値の計測、即ち零点補正計測を行う。一方外部よりガス事業者が設定器等より、或いはガス事業者の保安センタより零点補正制御要求電文をガス遮断装置に送信し通信制御手段３０で受信すると、状態制御手段２５に零点補正制御開始の信号を出力する。
【００５４】
定期的な零点判定手段２４による零点補正開始要求のほかに、任意のタイミングでの新流量補正値計測要求を送り開始することができる。ガス遮断装置の組立て時の検査において随時異常判定や流量計測の検査を行う為、正確な流量補正値が必要であり、通信電文により即座に最適値を調べることができる。更に、漏洩事故などあり、正確な流量計測が必須であり、ガス遮断装置を含むガス供給設備の定期的な保守点検が必要であり、又水害などにあいガス遮断装置が水没などの被害を受け、機能そのものが影響がなかった場合、校正点検が必要であり、随時の即ち任意のタイミングでの零点補正値の確認ができ必要があったが、通信制御手段３０によりこうした対応ができる。
【００５５】
流量値補正設定手段２６は遮断手段２２が駆動され流路１が遮断された状態で、流量検出手段１９で流量計測し流量演算手段２０で流量換算し、流量零状態より逸脱した流量信号を入力すると新しい流量補正値として記憶格納される。零点計測状態では、遮断手段２２で流路１を閉じるので流量補正値は器具が使用されない、完全に流量がない状態で流量補正量が計測される。
【００５６】
そしてこの記憶した流量補正値を用いて流量演算手段２０で流量換算時に補正する。以降遮断手段２６を駆動し流路１を開け通常通りガス器具が使用できる状態で、流速検出手段１４で流速を検出し流量演算手段２０で換算した流量値を流量補正値設定手段２６に記憶した新流量補正値で補正（補正値の符号は±があり、加算補正又減算補正がある）する。結果、器具停止時の流量値は流量零或いは所定流量範囲内（流量零範囲と定義する）に入り、器具使用時も正確に流量計測ができる。流量補正値は流量零時の零点補正値（零点オフセット値）として更新され、常に流量零となるように調整される。ガス器具未使用時、ずれて検出された微少流量をあたかも器具が使用されていると間違ってガス使用量積算されたり、又ガスが漏れているとして間違って警告表示されることがなく極めて流量計測精度が向上し安全性、使い勝手が向上する。
【００５７】
このようにしてガス遮断装置設置以降、自動的に流量零状態に調節するように最適な流量補正値を、任意のタイミングで正確に流量計測し記憶設定できるので、ガス器具使用状態の監視において間違って異常な大流量と誤判定し合計流量遮断としたり、又使用時間遮断の制限時間を決定する際のガス流量の計測を間違って行い異なる制限時間を設定されることなく正確に異常判定手段２１でガスの使用状態を監視でき、信頼性や安全性が向上している。
【００５８】
（実施例４）
図４は本発明の第４の実施例のガス遮断装置である。図４において、図１、図２、図３、図５、図６及び図７と同一機能を有する構成要素には同一番号を付し説明は省略する。
【００５９】
図４で、３１は報知手段で、異常手段２１によりガス器具の使用異常と判定し遮断手段２２を作動した時、異常内容を警告表示されるが、一方通常状態において状態判定手段２５により零点補正計測開始信号が出力されると、零点補正中である表示を行い、ガス需要家やガス事業者に流量補正値の校正中である内容を通知する。即ち零点補正は器具停止時に行うが、通常状態表示ではガス器具を使用可能と誤判断されるのを防いでいる。零点補正計測終了後は、零点補正中表示は消灯され通常のガス器具使用状態となる。
【００６０】
次に上記構成の動作を説明する。ガス遮断装置設置時、ガス器具の使用がない時流量検出手段１４で検出した流速値より流量演算手段２０で換算した流量値は零或いは所定流量範囲内（例えば±１．５Ｌ／ｈ未満）である。流量零となるように予め流量補正値を計測し流量零或いは所定流量範囲内となるように流量補正値設定手段２６に記憶格納させ、流量演算手段２０で換算した流量値を流量補正値で補正している。ここでガスの未使用時とは例えば流量演算手段２０でガス器具使用時その使用流量を登録するが、全く未登録の時器具の使用が無いと判定する。しかし長期的に使用するに従って種々の環境条件、温度や湿度等の影響により器具未使用時の流量値が流量零あるいは所定流量範囲内とならずあたかも何らかのガス器具を使用しているかの流量値を示し、零点設定手段２３に設定された流量零状態或いは所定流量範囲（例えば±１．５Ｌ／ｈ未満）より逸脱する。即ち予め求めていた流量補正値よりずれる場合がある。
【００６１】
当初設定した流量補正値で流量演算手段２０で換算した流量値は、器具使用時異常判定手段２１で異常な使用をされていないか流量値かどうか監視している。
【００６２】
ホースはずれのような大流量の生ガスが放出されているような流量検出時、遮断手段２２を駆動し、ガス供給を停止する。報知手段２７においてその遮断した異常内容をガス需要家や、ガス事業者に報知する。
【００６３】
一方、器具停止状態で流路１に設置した流量検出手段１４で流速検知し流量演算手段２０で流量値に換算し零点判定手段２４で所定流量範囲内の流量値として検出されていたのに、零点設定手段２３で設定された所定範囲より逸脱する流量値が検出された時、流量零状態よりずれたと判定し、状態判定手段２５では零点補正を行ってよいか判定する。即ち状態判定手段２５は、零点判定手段２３で零点ズレを検出したのを受け、異常判定手段２１でガス器具使用の異常などがない通常ガス使用状態でのみ零点補正処理を行う。異常判定手段２１より状態判定手段２５へ異常状態信号が入っている場合、例えばホースはずれ等の異常と判定し遮断手段２２駆動している場合、流路１の末端は開放状態である。又大気開放状態になれば、空気が逆流し配管内に都市ガスやＬＰガスと混合状態になる可能性がある。異常判定手段２１で器具の異常使用判定により遮断した場合、流路１はこうした異常な状況であり、高精度の流量計測を行うための零点補正計測を異常判定手段２１で異常判定後行うと異常な流速を検出し流量補正値として設定され、高精度計測できなくなる可能性がある。そこで異常判定手段２１より異常判定した信号が状態判定手段２５に入力された場合、零点判定手段２４より零点ズレ状態と判定した信号が入力されていても、新流量補正値を計測する処理を遅延する。
【００６４】
即ち、異常判定手段２１が作動し、異常遮断状態や異常遮断状態からの復帰状態では零点補正計測処理を行わない。異常状態が解除され、通常のガス使用可能状態になってから状態判定手段２５より零点補正計測開始信号が出力される。同時に報知手段３１で零点補正計測中である表示を開始し、ガス器具使用不可能状態である旨をガス需要家やガス事業者に通知する。又、電話回線などを通じてガス事業者に零点補正中であることと通知できるので、事業者側では設置されたガス遮断装置の校正回数等の管理が容易にでき装置自身のメンテナンス情報として活用できる。
【００６５】
状態判定手段２５より計測可能信号が遮断手段２２に出力されると、遮断手段２２は流路１を閉止し、ガス流量が流れない状態にして新流量補正値の計測、即ち零点補正計測を行う。流量値補正設定手段２６は遮断手段２２が駆動され流路１が遮断された状態で、流量検出手段１９で流量計測し流量演算手段２０で流量換算し、流量零状態より逸脱した流量信号を入力すると新しい流量補正値として記憶格納される。零点計測状態では、遮断手段２２で流路１を閉じるので流量補正値は器具が使用されない、完全に流量がない状態で流量補正量が計測される。
【００６６】
そしてこの記憶した流量補正値を用いて流量演算手段２０で流量換算時に補正する。以降遮断手段２６を駆動し流路１を開け通常通りガス器具が使用できる状態で、流速検出手段１４で流速を検出し流量演算手段２０で換算した流量値を流量補正値設定手段２６に記憶した新流量補正値で補正（補正値の符号は±があり、加算補正又減算補正がある）する。結果、器具停止時の流量値は流量零或いは所定流量範囲内（流量零範囲と定義する）に入り、器具使用時も正確に流量計測ができる。流量補正値は流量零時の零点補正値（零点オフセット値）として更新され、常に流量零となるように調整される。ガス器具未使用時、ずれて検出された微少流量をあたかも器具が使用されていると間違ってガス使用量積算されたり、又ガスが漏れているとして間違って警告表示されることがなく極めて流量計測精度が向上し安全性、使い勝手が向上する。
【００６７】
このようにしてガス遮断装置設置以降、自動的に流量零状態に調節するように最適な流量補正値を、異常判定手段２１が作動したような状態ではなく通常のガスを使用する状態において正確に計測し記憶設定する際、報知手段３１で零点補正中表示を行い、通常のガス器具使用可能状態ではないことを通知できるので、ガス需要家、ガス事業者はガス遮断装置の校正中であることを認識でき、遮断手段２２が開動作しない等とあわてることなく、結果正しい新流量補正値が計測できガス器具使用状態の監視において間違って異常な大流量と誤判定し合計流量遮断としたり、又使用時間遮断の制限時間を決定する際のガス流量の計測を間違って行い異なる制限時間を設定されることなく正確に異常判定手段２１でガスの使用状態を監視でき信頼性や安全性が向上している。
【００６８】
（実施例５）
図５は本発明の第５の実施例のガス遮断装置である。図５において、図１、図２、図３、図４、図６及び図７と同一機能を有する構成要素には同一番号を付し説明は省略する。
【００６９】
図５で、３２は流量積算手段で、流量検出手段１４で検出したガス器具のガス使用量を積算計測する。３３は表示手段で、流量積算手段３２でガス使用量を計測した内容を表示しガス事業者が毎月定期的に検針する為の積算表示手段３３ａと、異常手段２１によりガス器具の使用異常と判定し遮断手段２２を作動した時、異常内容を警告表示する部分と、状態判定手段２５により零点補正計測開始信号が出力されると、零点補正中である表示を行う異常校正表示手段３３ｂとからなる。積算表示手段３３ａは、ガス需要家やガス事業者にガス使用量を通知する為、７セグメントの数字桁表示である。
【００７０】
次に上記構成の動作を説明する。ガス遮断装置設置時、ガス器具の使用がない時流量検出手段１４で検出した流速値より流量演算手段２０で換算した流量値は零或いは所定流量範囲内（例えば±１．５Ｌ／ｈ未満）である。流量零となるように予め流量補正値を計測し流量零或いは所定流量範囲内となるように流量補正値設定手段２６に記憶格納させ、流量演算手段２０で換算した流量値を流量補正値で補正している。ここでガスの未使用時とは例えば流量演算手段２０でガス器具使用時その使用流量を登録するが、全く未登録の時器具の使用が無いと判定する。
【００７１】
しかし長期的に使用するに従って種々の環境条件、温度や湿度等の影響により器具未使用時の流量値が流量零あるいは所定流量範囲内とならずあたかも何らかのガス器具を使用しているかの流量値を示し、零点設定手段２３に設定された流量零状態或いは所定流量範囲（例えば±１．５Ｌ／ｈ未満）より逸脱する。即ち予め求めていた流量補正値よりずれる場合がある。
【００７２】
当初設定した流量補正値で流量演算手段２０で換算した流量値は、器具使用時異常判定手段２１で異常な使用をされていないか流量値かどうか監視している。ホースはずれのような大流量の生ガスが放出されているような流量検出時、遮断手段２２を駆動し、ガス供給を停止する。表示手段３３においてその遮断した異常内容をガス需要家や、ガス事業者に報知する。又、流量演算手段２０で求めたガス器具の使用流量を流量積算手段３２で積算カウントする。更にガス需要家のガス使用量の累積積算値を表示手段３３の積算表示手段３３ａに表示し、ガス事業者が定期的な検針チェックを行える。
【００７３】
一方、器具停止状態で流路１に設置した流量検出手段１４で流速検知し流量演算手段２０で流量値に換算し零点判定手段２４で所定流量範囲内の流量値として検出されていたのに、零点設定手段２３で設定された所定範囲より逸脱する流量値が検出された時、流量零状態よりずれたと判定し、状態判定手段２５では零点補正を行ってよいか判定する。即ち状態判定手段２５は、零点判定手段２３で零点ズレを検出したのを受け、異常判定手段２１でガス器具使用の異常などがない通常ガス使用状態でのみ零点補正処理を行う。異常判定手段２１より状態判定手段２５へ異常状態信号が入っている場合、例えばホースはずれ等の異常と判定し遮断手段２２駆動している場合、流路１の末端は開放状態である。又大気開放状態になれば、空気が逆流し配管内に都市ガスやＬＰガスと混合状態になる可能性がある。異常判定手段２１で器具の異常使用判定により遮断した場合、流路１はこうした異常な状況であり、高精度の流量計測を行うための零点補正計測を異常判定手段２１で異常判定後行うと異常な流速を検出し流量補正値として設定され、高精度計測できなくなる可能性がある。そこで異常判定手段２１より異常判定した信号が状態判定手段２５に入力された場合、零点判定手段２４より零点ズレ状態と判定した信号が入力されていても、新流量補正値を計測する処理を遅延する。
【００７４】
即ち、異常判定手段２１が作動し、異常遮断状態や異常遮断状態からの復帰状態では零点補正計測処理を行わない。異常状態が解除され、通常のガス使用可能状態になってから状態判定手段２５より零点補正計測開始信号が出力される。同時に表示手段３３で零点補正計測中である表示を開始し、ガス器具使用不可能状態であり、流量補正値の校正中であることをガス需要家やガス事業者に通知する。
【００７５】
即ち零点補正は器具停止時に行うが、通常状態表示ではガス器具を使用可能と誤判断されるのを防いでいる。零点補正計測終了後は、零点補正中表示は消灯され通常のガス器具使用状態となる。又、電話回線などを通じてガス事業者に零点補正中であることと通知できるので、事業者側では設置されたガス遮断装置の校正回数等の管理が容易にでき装置自身のメンテナンス情報として活用できる。
【００７６】
状態判定手段２５より計測可能信号が遮断手段２２に出力されると、遮断手段２２は流路１を閉止し、ガス流量が流れない状態にして新流量補正値の計測、即ち零点補正計測を行う。流量値補正設定手段２６は遮断手段２２が駆動され流路１が遮断された状態で、流量検出手段１９で流量計測し流量演算手段２０で流量換算し、流量零状態より逸脱した流量信号を入力すると新しい流量補正値として記憶格納される。零点計測状態では、遮断手段２２で流路１を閉じるので流量補正値は器具が使用されない、完全に流量がない状態で流量補正量が計測される。
【００７７】
ガス遮断装置のメンテナンスする場合、零点補正量の推移は重要な要素であり、外部より設定器や通信電文等により流量補正値を読み出したり、表示する必要があり、通信手段３４に流量補正値要求が受信されると、表示手段３３の積算表示手段３３ａに積算値表示を切替えて、流量補正値を表示する。この値よりガス事業者は設置したガス遮断装置の流量計測性能を監視することができる。その値の推移を記録監視していけば、特性の経時変化等の把握監視ができる。又外部より通信手段へ積算表示要求を送信し、受信すると通常通りの積算表示に戻る。
【００７８】
この記憶した流量補正値を用いて流量演算手段２０で流量換算時に補正する。
【００７９】
以降遮断手段２６を駆動し流路１を開け通常通りガス器具が使用できる状態で、流速検出手段１４で流速を検出し流量演算手段２０で換算した流量値を流量補正値設定手段２６に記憶した新流量補正値で補正（補正値の符号は±があり、加算補正又減算補正がある）する。結果、器具停止時の流量値は流量零或いは所定流量範囲内（流量零範囲と定義する）に入り、器具使用時も正確に流量計測ができる。
【００８０】
流量補正値は流量零時の零点補正値（零点オフセット値）として更新され、常に流量零となるように調整される。ガス器具未使用時、ずれて検出された微少流量をあたかも器具が使用されていると間違ってガス使用量積算されたり、又ガスが漏れているとして間違って警告表示されることがなく極めて流量計測精度が向上し安全性、使い勝手が向上する。
【００８１】
このようにしてガス遮断装置設置以降、自動的に流量零状態に調節するように最適な流量補正値を、異常判定手段２１が作動したような状態ではなく通常のガスを使用する状態において正確に計測し記憶設定すると共に、通信手段３４により表示手段３３で零点補正値表示を行えるので、ガス事業者はガス遮断装置の流量計測性能の校正内容やその計時変化状態を監視できるので、メンテナンス管理に役立ち、又異常流量検出時の解析にも役立ち、器具或いは設備異常かガス遮断装置の計測部の異常か等を判別でき、使い勝手、メンテナンス性や信頼性が向上している。
【００８２】
（実施例６）
図６は本発明の第６の実施例のガス遮断装置である。図６において、図１、図２、図３、図４、図５及び図７と同一機能を有する構成要素には同一番号を付し説明は省略する。
【００８３】
図６で、３５は表示切替手段で、復帰手段２８は異常判定手段２１で異常検出時遮断状態にある遮断手段２２を操作されると開状態へ制御するが、一方通常状態等において復帰手段２８を所定時間操作されたのを計測すると、表示手段３３の積算表示手段３３ａを零点補正値である流量補正値に表示切替制御する。表示手段３３で、流量積算手段３２でガス使用量を計測した内容を表示しガス事業者が毎月定期的に検針する為の積算表示手段３３ａと、異常手段２１によりガス器具の使用異常と判定し遮断手段２２を作動した時、異常内容を警告表示する部分と、状態判定手段２５により零点補正計測開始信号が出力されると、零点補正中である表示を行う異常校正表示手段３３ｂとがあり、積算表示手段３３ａは、ガス需要家やガス事業者にガス使用量を通知する為、７セグメントの数字桁表示である。
【００８４】
次に上記構成の動作を説明する。ガス遮断装置設置時、ガス器具の使用がない時流量検出手段１４で検出した流速値より流量演算手段２０で換算した流量値は零或いは所定流量範囲内（例えば±１．５Ｌ／ｈ未満）である。流量零となるように予め流量補正値を計測し流量零或いは所定流量範囲内となるように流量補正値設定手段２６に記憶格納させ、流量演算手段２０で換算した流量値を流量補正値で補正している。ここでガスの未使用時とは例えば流量演算手段２０でガス器具使用時その使用流量を登録するが、全く未登録の時器具の使用が無いと判定する。
【００８５】
しかし長期的に使用するに従って種々の環境条件、温度や湿度等の影響により器具未使用時の流量値が流量零あるいは所定流量範囲内とならずあたかも何らかのガス器具を使用しているかの流量値を示し、零点設定手段２３に設定された流量零状態或いは所定流量範囲（例えば±１．５Ｌ／ｈ未満）より逸脱する。即ち予め求めていた流量補正値よりずれる場合がある。
【００８６】
当初設定した流量補正値で流量演算手段２０で換算した流量値は、器具使用時異常判定手段２１で異常な使用をされていないか流量値かどうか監視している。
【００８７】
ホースはずれのような大流量の生ガスが放出されているような流量検出時、遮断手段２２を駆動し、ガス供給を停止する。表示手段３３においてその遮断した異常内容をガス需要家や、ガス事業者に報知する。ホースはずれ等の異常が改善された後、復帰手段２８を操作すると遮断手段２２開信号が出力され、流路１が開きガス供給可能状態となる。又、流量演算手段２０で求めたガス器具の使用流量を流量積算手段３２で積算カウントする。更にガス需要家のガス使用量の累積積算値を表示手段３３の積算表示手段３３ａに表示し、ガス事業者が定期的な検針チェックを行える。
【００８８】
一方、器具停止状態で流路１に設置した流量検出手段１４で流速検知し流量演算手段２０で流量値に換算し零点判定手段２４で所定流量範囲内の流量値として検出されていたのに、零点設定手段２３で設定された所定範囲より逸脱する流量値が検出された時、流量零状態よりずれたと判定し、状態判定手段２５では零点補正を行ってよいか判定する。即ち状態判定手段２５は、零点判定手段２３で零点ズレを検出したのを受け、異常判定手段２１でガス器具使用の異常などがない通常ガス使用状態でのみ零点補正処理を行う。異常判定手段２１より状態判定手段２５へ異常状態信号が入っている場合、例えばホースはずれ等の異常と判定し遮断手段２２駆動している場合、流路１の末端は開放状態である。又大気開放状態になれば、空気が逆流し配管内に都市ガスやＬＰガスと混合状態になる可能性がある。異常判定手段２１で器具の異常使用判定により遮断した場合、流路１はこうした異常な状況であり、高精度の流量計測を行うための零点補正計測を異常判定手段２１で異常判定後行うと異常な流速を検出し流量補正値として設定され、高精度計測できなくなる可能性がある。そこで異常判定手段２１より異常判定した信号が状態判定手段２５に入力された場合、零点判定手段２４より零点ズレ状態と判定した信号が入力されていても、新流量補正値を計測する処理を遅延する。
【００８９】
即ち、異常判定手段２１が作動し、異常遮断状態や異常遮断状態からの復帰状態では零点補正計測処理を行わない。異常状態が解除され、通常のガス使用可能状態になってから状態判定手段２５より零点補正計測開始信号が出力される。同時に表示手段３３で零点補正計測中である表示を開始し、ガス器具使用不可能状態であり、流量補正値の校正中であることをガス需要家やガス事業者に通知する。
【００９０】
即ち零点補正は器具停止時に行うが、通常状態表示ではガス器具を使用可能と誤判断されるのを防いでいる。零点補正計測終了後は、零点補正中表示は消灯され通常のガス器具使用状態となる。又、電話回線などを通じてガス事業者に零点補正中であることと通知できるので、事業者側では設置されたガス遮断装置の校正回数等の管理が容易にでき装置自身のメンテナンス情報として活用できる。
【００９１】
状態判定手段２５より計測可能信号が遮断手段２２に出力されると、遮断手段２２は流路１を閉止し、ガス流量が流れない状態にして新流量補正値の計測、即ち零点補正計測を行う。流量値補正設定手段２６は遮断手段２２が駆動され流路１が遮断された状態で、流量検出手段１９で流量計測し流量演算手段２０で流量換算し、流量零状態より逸脱した流量信号を入力すると新しい流量補正値として記憶格納される。零点計測状態では、遮断手段２２で流路１を閉じるので流量補正値は器具が使用されない、完全に流量がない状態で流量補正量が計測される。
【００９２】
ガス遮断装置のメンテナンスする場合、零点補正量の推移は重要な要素であり、復帰手段２８により設定器や通信電文等を介さずに流量補正値を読み出したり、表示する。ガス事業者が設定器やポータブルの通信手段等を現場へ持っていくのを忘れる場合があり、簡易的な方法で流量補正値を表示する必要がある。遮断手段２２が作動していない状態で復帰手段２８が操作され、表示切替手段３５が所定時間操作されたのを検出すると、表示手段３３の積算表示手段３３ａに積算値表示を切替えて、流量補正値を表示する。この実際の流量補正値よりガス事業者は設置したガス遮断装置の流量計測性能を監視することができる。その値の推移を記録監視していけば、特性の経時変化等の把握監視ができる。又所定時間復帰手段２８への無操作状態を表示切替手段３５が検出すると、通常通りの積算表示に戻る。
【００９３】
この記憶した流量補正値を用いて流量演算手段２０で流量換算時に補正する。
【００９４】
以降遮断手段２６を駆動し流路１を開け通常通りガス器具が使用できる状態で、流速検出手段１４で流速を検出し流量演算手段２０で換算した流量値を流量補正値設定手段２６に記憶した新流量補正値で補正（補正値の符号は±があり、加算補正又減算補正がある）する。結果、器具停止時の流量値は流量零或いは所定流量範囲内（流量零範囲と定義する）に入り、器具使用時も正確に流量計測ができる。
【００９５】
流量補正値は流量零時の零点補正値（零点オフセット値）として更新され、常に流量零となるように調整される。ガス器具未使用時、ずれて検出された微少流量をあたかも器具が使用されていると間違ってガス使用量積算されたり、又ガスが漏れているとして間違って警告表示されることがなく極めて流量計測精度が向上し安全性、使い勝手が向上する。
【００９６】
このようにしてガス遮断装置設置以降、自動的に流量零状態に調節するように最適な流量補正値を、異常判定手段２１が作動したような状態ではなく通常のガスを使用する状態において正確に計測し記憶設定すると共に、復帰手段２８で所定操作されると表示手段３３で零点補正値表示を行えるので、ガス事業者はガス遮断装置の流量計測性能の校正内容やその計時変化状態を監視できるので、メンテナンス管理に役立ち、又異常流量検出時の解析にも役立ち、器具或いは設備異常かガス遮断装置の計測部の異常か等を判別でき、使い勝手、メンテナンス性や信頼性が向上している。
【００９７】
【発明の効果】
以上説明したように本発明の請求項１によれば、媒体内の流速を検出する流量検出手段と、媒体流路を遮断する遮断手段と、前記流量検出手段で検出した流速より流量に換算する流量演算手段と、前記流量検出手段の流量零範囲を設定する零点設定手段と、前記流量演算手段で求めた流量が前記零点設定手段で設定した流量零範囲を逸脱したか否かを判定する零点判定手段と、前記流量検出手段の出力信号より前記流量演算手段で求めた流量値が異常使用量か否かを判定し異常時前記遮断手段に遮断信号を出力する異常判定手段と、前記異常判定手段より前記遮断手段を駆動していない状態で前記零点判定手段より零点流量範囲逸脱との状態信号を出力している場合前記遮断手段に遮断信号を出力し零点補正計測を行う状態判定手段と、前記状態判定手段で零点補正計測を開始すると前記流量演算手段より所定範囲内にはいる流量補正値を求める流量補正値設定手段とを設けており、器具使用中及び停止時のガス流量を流量検出手段で流速を検出し流量演算手段で流量換算しその流量値が異常な使用状態値かどうかを異常判定手段で監視しつつ、一方器具停止時の流量値が所定流量範囲内かどうかを零点判定手段で監視しており、異常判定手段でガス使用状態が異常と判定時遮断手段を駆動しガス供給を停止するが、零点判定手段で所定範囲以外と判定されると状態判定手段では零点補正可能かどうかを判定し、異常判定手段で異常と判定し遮断手段を駆動している場合零点補正不可と判定し遅延し、ガス器具使用の異常状態が改善され通常状態に戻った時零点補正可能と判定し、零点補正値を計測開始し、器具停止時の流量値を流量検出手段で求め流量演算手段で換算し流量補正値設定手段に新補正値として記憶し、以後流量計測時流量演算手段で流量値を求め流量補正値設定手段に格納した新補正値で補正演算し、その結果値で異常判定手段や零点判定手段で評価判定するので、ガス圧低下状態やガス器具漏洩遮断した異常な状態で流量零時の補正値を求めないので、ガス流量計測精度が上がり、ガス器具の使用状態を正確な流量計測で監視でき信頼性や安全性が向上する。
【００９８】
又説明したように本発明の請求項２によれば、媒体内の流速を検出する流量検出手段と、媒体流路を遮断する遮断手段と、前記流量検出手段で検出した流速より流量に換算する流量演算手段と、前記流量検出手段の流量零範囲を設定する零点設定手段と、前記流量演算手段で求めた流量が前記零点設定手段で設定した流量零範囲を逸脱したか否かを判定する零点判定手段と、前記流量検出手段の出力信号より前記流量演算手段で求めた流量値が異常使用量か否かを判定し異常時前記遮断手段に遮断信号を出力する異常判定手段と、前記異常判定手段より前記遮断手段を駆動していない状態で前記零点判定手段より零点流量範囲逸脱との状態信号を出力している場合前記遮断手段に遮断信号を出力し零点補正計測を行う状態判定手段と、前記状態判定手段で零点補正計測を開始すると前記流量演算手段より所定範囲内にはいる流量補正値を求める流量補正値設定手段と、前記遮断手段を開状態にする信号を出力する復帰手段と、前記状態判定手段により零点補正計測時前記復帰手段からの復帰信号を受付禁止にする復帰禁止手段とを設けており、器具使用中及び停止時のガス流量を流量検出手段で流速を検出し流量演算手段で流量換算しその流量値が異常な使用状態値かどうかを異常判定手段で監視しつつ、一方器具停止時の流量値が所定流量範囲内かどうかを零点判定手段で監視しており、異常判定手段でガス使用状態が異常と判定時遮断手段を駆動しガス供給を停止するが、零点判定手段で所定範囲以外と判定されると状態判定手段では零点補正可能かどうかを判定し、異常判定手段で異常と判定し遮断手段を駆動している場合零点補正不可と判定し遅延し、ガス器具使用の異常状態が改善され通常状態に戻った時零点補正可能と判定し、零点補正値を計測開始し、器具停止時の流量値を流量検出手段で求め流量演算手段で換算し流量補正値設定手段に新補正値として記憶し、以後流量計測時流量演算手段で流量値を求め流量補正値設定手段に格納した新補正値で補正演算し流量値を求めるが、状態判定手段により新流量補正値を求める零点計測中は遮断手段が作動し流路は閉止状態で、復帰禁止手段に零点計測中で復帰信号の受付禁止状態にしており、誤って復帰手段を操作されガスが流れ流量補正値を正しく計測できないということがないようにされており、ガス流量計測精度が上がり結果ガス器具の使用状態を正確な流量計測で監視でき信頼性や安全性が向上する。
【００９９】
又説明したように本発明の請求項３によれば、媒体内の流速を検出する流量検出手段と、媒体流路を遮断する遮断手段と、前記流量検出手段で検出した流速より流量に換算する流量演算手段と、前記流量検出手段の流量零範囲を設定する零点設定手段と、前記流量演算手段で求めた流量が前記零点設定手段で設定した流量零範囲を逸脱したか否かを判定する零点判定手段と、前記流量検出手段の出力信号より前記流量演算手段で求めた流量値が異常使用量か否かを判定し異常時前記遮断手段に遮断信号を出力する異常判定手段と、前記異常判定手段より前記遮断手段を駆動していない状態で前記零点判定手段より零点流量範囲逸脱との状態信号を出力している場合前記遮断手段に遮断信号を出力し零点補正計測を行う状態判定手段と、外部より設定器や通信等により指示電文を受信し強制的に零点補正計測指示電文を受信すると前記状態判定手段に零点補正制御を開始させる通信制御手段と、前記状態判定手段より或いは前記通信手段より零点補正計測を開始すると前記流量演算手段より所定範囲内にはいる流量補正値を求める流量補正値設定手段とを設けており、器具使用中及び停止時のガス流量を流量検出手段で流速を検出し流量演算手段で流量換算しその流量値が異常な使用状態値かどうかを異常判定手段で監視しつつ、一方器具停止時の流量値が所定流量範囲内かどうかを零点判定手段で監視しており、異常判定手段でガス使用状態が異常と判定時遮断手段を駆動しガス供給を停止するが、零点判定手段で所定範囲以外と判定されると状態判定手段では零点補正可能かどうかを判定し、異常判定手段で異常と判定し遮断手段を駆動している場合零点補正不可と判定し遅延し、ガス器具使用の異常状態が改善され通常状態に戻った時零点補正可能と判定し、零点補正値を計測開始し、器具停止時の流量値を流量検出手段で求め流量演算手段で換算し流量補正値設定手段に新補正値として記憶し、以後流量計測時流量演算手段で流量値を求め流量補正値設定手段に格納した新補正値で補正演算し流量値を求めるが、一方外部より設定器やセンタ等より通信回線を介し零点補正計測開始指示を行う電文を通信制御手段が受信すると、状態判定手段により新流量補正値を求める零点計測制御開始指示を行うので、任意の時間帯にガス事業者が行うことができ、随時ガス流量計測精度を向上させることができ、結果ガス器具の使用状態を正確な流量計測で監視でき信頼性や安全性が向上する。
【０１００】
又説明したように本発明の請求項４によれば、媒体内の流速を検出する流量検出手段と、媒体流路を遮断する遮断手段と、前記流量検出手段で検出した流速より流量に換算する流量演算手段と、前記流量検出手段の流量零範囲を設定する零点設定手段と、前記流量演算手段で求めた流量が前記零点設定手段で設定した流量零範囲を逸脱したか否かを判定する零点判定手段と、前記流量検出手段の出力信号より前記流量演算手段で求めた流量値が異常使用量か否かを判定し異常時前記遮断手段に遮断信号を出力する異常判定手段と、前記異常判定手段より前記遮断手段を駆動していない状態で前記零点判定手段より零点流量範囲逸脱との状態信号を出力している場合前記遮断手段に遮断信号を出力し零点補正計測を行う状態判定手段と、前記状態判定手段で零点補正計測を開始すると前記流量演算手段より所定範囲内にはいる流量補正値を求める流量補正値設定手段と、前記状態判定手段による零点補正開始となると零点補正中を示す表示を行う報知手段とを設けており、器具使用中及び停止時のガス流量を流量検出手段で流速を検出し流量演算手段で流量換算しその流量値が異常な使用状態値かどうかを異常判定手段で監視しつつ、一方器具停止時の流量値が所定流量範囲内かどうかを零点判定手段で監視しており、異常判定手段でガス使用状態が異常と判定時遮断手段を駆動しガス供給を停止すると共に異常表示し警告するが、又零点判定手段で所定範囲以外と判定されると状態判定手段では零点補正可能かどうかを判定し、異常判定手段で異常と判定し遮断手段を駆動している場合零点補正不可と判定し遅延し、ガス器具使用の異常状態が改善され通常状態に戻った時零点補正可能と判定し、零点補正値を計測開始し当時に報知手段で零点補正計測中表示を行い、器具停止時の流量値を流量検出手段で求め流量演算手段で換算し流量補正値設定手段に新補正値として記憶し、以後流量計測時流量演算手段で流量値を求め流量補正値設定手段に格納した新補正値で補正演算するが、異常状態とは異なる表示で零点補正中であることをガス需要家や点検にきたガス事業者に通知でき、ガス使用可能状態、ガス器具の異常使用状態を検知し遮断した状態とは別の流量計測の校正中を示す表示が報知手段でなされるので、一目でガス遮断装置の状況がわかり使い勝手が向上する効果がある。
【０１０１】
又説明したように本発明の請求項５によれば、媒体内の流速を検出する流量検出手段と、媒体流路を遮断する遮断手段と、前記流量検出手段で検出した流速より流量に換算する流量演算手段と、前記流量演算手段で求めた流量値を積算する流量積算手段と、前記流量検出手段の流量零範囲を設定する零点設定手段と、前記流量演算手段で求めた流量が前記零点設定手段で設定した流量零範囲を逸脱したか否かを判定する零点判定手段と、前記流量検出手段の出力信号より前記流量演算手段で求めた流量値が異常使用量か否かを判定し異常時前記遮断手段に遮断信号を出力する異常判定手段と、前記異常判定手段より前記遮断手段を駆動していない状態で前記零点判定手段より零点流量範囲逸脱との状態信号を出力している場合前記遮断手段に遮断信号を出力し零点補正計測を行う状態判定手段と、前記状態判定手段で零点補正計測を開始すると前記流量演算手段より所定範囲内にはいる流量補正値を求める流量補正値設定手段と、前記流量積算手段で求めた流量積算値を表示すると共に前記流量補正値設定手段により求まった流量補正値を切替えて表示する表示手段と、外部より設定器や通信等により指示電文を受信し零点補正表示電文を受信すると前記表示手段に零点表示に切替えさせる通信手段とを設けており、器具使用中及び停止時のガス流量を流量検出手段で流速を検出し流量演算手段で流量換算しその流量値が異常な使用状態値かどうかを異常判定手段で監視しつつ、一方器具停止時の流量値が所定流量範囲内かどうかを零点判定手段で監視しており、異常判定手段でガス使用状態が異常と判定時遮断手段を駆動しガス供給を停止すると共に表示手段で異常表示し警告するが、又零点判定手段で所定範囲以外と判定されると状態判定手段では零点補正可能かどうかを判定し、異常判定手段で異常と判定し遮断手段を駆動している場合零点補正不可と判定し遅延し、ガス器具使用の異常状態が改善され通常状態に戻った時零点補正可能と判定し、零点補正値を計測開始し、器具停止時の流量値を流量検出手段で求め流量演算手段で換算し流量補正値設定手段に新補正値として記憶し、以後流量計測時流量演算手段で流量値を求め流量補正値設定手段に格納した新補正値で補正演算するが、以後流量計測時流量演算手段で流量値を求め流量補正値設定手段に格納した新補正値で補正演算し、その結果値で異常判定手段や零点判定手段で器具の安全使用状態かどうかを評価判定すると共に、求めた流量値で流量積算手段でガス使用量を積算し積算値を表示手段で表示すると共に、通信で零点補正した流量補正値を表示することが可能で、表示切替要求の通信電文を通信手段で受信すると流量積算手段で求めたガス使用量を表示する積算表示部に零点補正量である流量補正値を表示することが可能で、ガス事業者はガス遮断装置の状態を定量的に監視することができ、又ガス流量計測精度の維持管理が容易でメンテナンスの容易性が高まり使い勝手や信頼性や安全性が向上する。
【０１０２】
又説明したように本発明の請求項６によれば、媒体内の流速を検出する流量検出手段と、媒体流路を遮断する遮断手段と、前記流量検出手段で検出した流速より流量に換算する流量演算手段と、前記流量演算手段で求めた流量値を積算する流量積算手段と、前記流量検出手段の流量零範囲を設定する零点設定手段と、前記流量演算手段で求めた流量が前記零点設定手段で設定した流量零範囲を逸脱したか否かを判定する零点判定手段と、前記流量検出手段の出力信号より前記流量演算手段で求めた流量値が異常使用量か否かを判定し異常時前記遮断手段に遮断信号を出力する異常判定手段と、前記異常判定手段より前記遮断手段を駆動していない状態で前記零点判定手段より零点流量範囲逸脱との状態信号を出力している場合前記遮断手段に遮断信号を出力し零点補正計測を行う状態判定手段と、前記状態判定手段で零点補正計測を開始すると前記流量演算手段より所定範囲内にはいる流量補正値を求める流量補正値設定手段と、前記遮断手段を開状態にする信号を出力する復帰手段と、前記流量積算手段で求めた流量積算値を表示すると共に前記流量補正値設定手段により求まった流量補正値を切替えて表示する表示手段と、前記復帰手段を所定時間操作により前記表示手段に零点表示に切替えさせる表示制御手段とを設けており、器具使用中及び停止時のガス流量を流量検出手段で流速を検出し流量演算手段で流量換算しその流量値が異常な使用状態値かどうかを異常判定手段で監視しつつ、一方器具停止時の流量値が所定流量範囲内かどうかを零点判定手段で監視しており、異常判定手段でガス使用状態が異常と判定時遮断手段を駆動しガス供給を停止すると共に表示手段で異常表示し警告するが、又零点判定手段で所定範囲以外と判定されると状態判定手段では零点補正可能かどうかを判定し、異常判定手段で異常と判定し遮断手段を駆動している場合零点補正不可と判定し遅延し、ガス器具使用の異常状態が改善され通常状態に戻った時零点補正可能と判定し、零点補正値を計測開始し、器具停止時の流量値を流量検出手段で求め流量演算手段で換算し流量補正値設定手段に新補正値として記憶し、以後流量計測時流量演算手段で流量値を求め流量補正値設定手段に格納した新補正値で補正演算するが、以後流量計測時流量演算手段で流量値を求め流量補正値設定手段に格納した新補正値で補正演算し、その結果値で異常判定手段や零点判定手段で器具の安全使用状態かどうかを評価判定すると共に、求めた流量値で流量積算手段でガス使用量を積算し積算値を表示手段で表示すると共に、復帰手段でで零点補正した流量補正値を表示することが可能で、復帰手段を所定時間操作すると表示切替手段により流量積算手段で求めたガス使用量を表示する積算表示部に零点補正量である流量補正値を表示することが可能で、ガス事業者はガス遮断装置の状態を定量的に監視することができ、又ガス流量計測精度の維持管理が容易でメンテナンスの容易性が高まり使い勝手や信頼性や安全性が向上する。
【図面の簡単な説明】
【図１】本発明の実施例１のガス遮断装置の制御ブロック図
【図２】本発明の実施例２のガス遮断装置の制御ブロック図
【図３】本発明の実施例３のガス遮断装置の制御ブロック図
【図４】本発明の実施例４のガス遮断装置の制御ブロック図
【図５】本発明の実施例５のガス遮断装置の制御ブロック図
【図６】本発明の実施例６のガス遮断装置の制御ブロック図
【図７】従来のガス遮断装置の制御ブロック図
【符号の説明】
１４　流速検出手段
２０　流量演算手段
２１　異常判定手段
２２　遮断手段
２３　零点設定手段
２４　零点判定手段
２５　状態判定手段
２６　流量補正手段
２８　復帰手段
２９　復帰禁止手段
３０　通信制御手段
３１　報知手段
３２　流量積算手段
３３　表示手段
３４　通信手段
３５　表示切替手段
【図１】
2004125609.tif 000003
【図２】
2004125609.tif 000004
【図３】
2004125609.tif 000005
【図４】
2004125609.tif 000006
【図５】
2004125609.tif 000007
【図６】
2004125609.tif 000008
【図７】
2004125609.tif 000009